(57)【要約】【課題】ＭｉＡＮ及びＭｉＡＮ帯域幅集約方法並びに集約システムを提供して、ＭｉＡＮのＷＡＮ出口リンクの帯域幅の集約と共有を実現すること。【解決手段】一つのプライマリＭｉＡＮと一つ以上のセカンダリＭｉＡＮとを備え、プライマリＭｉＡＮとセカンダリＭｉＡＮはいずれも各自に対応するＷＡＮ出口リンクを介してＷＡＮにアクセスし、プライマリＭｉＡＮは近接インタフェースを介して各セカンダリＭｉＡＮとの間で通信接続が確立される。また、プライマリＭｉＡＮは、ＷｉＤからＷＡＮに送信されるトラフィックを受信するステップＡと、トラフィックの送信がセカンダリＭｉＡＮを介するかを所定のポリシーに基づいて判断し、判断結果がＹＥＳである場合に、トラフィックを送信するための第１セカンダリＭｉＡＮを選択するステップＢと、第１セカンダリＭｉＡＮが自身に対応するＷＡＮ出口リンクを介してプライマリＭｉＡＮからのトラフィックをＷＡＮに送信するように、トラフィックを第１セカンダリＭｉＡＮに送信するステップＣとを含む。【選択図】図５
2012253750.tif 000002
【特許請求の範囲】
【請求項１】
一つのプライマリＭｉＡＮ（Ｍｏｂｉｌｅ  ｉｎｔｅｒｎｅｔ  Ａｃｃｅｓｓ  Ｎｏｄｅ）と一つ以上のセカンダリＭｉＡＮとを備え、上記プライマリＭｉＡＮとセカンダリＭｉＡＮはいずれも各自に対応するＷＡＮ（Ｗｉｄｅ  Ａｒｅａ  Ｎｅｔｗｏｒｋ）出口リンクを介してＷＡＮにアクセスし、上記プライマリＭｉＡＮは近接インタフェースを介して各セカンダリＭｉＡＮとの間で通信接続が確立されるようになっている集約システムに応用されるＭｉＡＮ帯域幅集約方法において、
プライマリＭｉＡＮは、ＷｉＤ（Ｗｉｒｅｌｅｓｓ  ｉｎｔｅｒｎｅｔ  Ｄｅｖｉｃｅ）からＷＡＮに送信されるトラフィックを受信するステップＡと、
プライマリＭｉＡＮは、上記トラフィックを送信するための第１セカンダリＭｉＡＮを選択するステップＢと、
プライマリＭｉＡＮは、上記第１セカンダリＭｉＡＮが自身に対応するＷＡＮ出口リンクを介して上記プライマリＭｉＡＮからの上記トラフィックをＷＡＮに送信するように、上記トラフィックを上記第１セカンダリＭｉＡＮに送信するステップＣと、
を含むことを特徴とするＭｉＡＮ帯域幅集約方法。
【請求項２】
上記ステップＡとステップＢとの間に、
上記トラフィックに対するルーティングテーブルエントリがローカルに確立されているか否かをプライマリＭｉＡＮが判断し、ＹＥＳの場合に上記トラフィックのルーティングテーブルエントリに従い上記トラフィックを転送してからフローが終了し、ＮＯの場合に上記ステップＢに進むステップＡ１を更に含むことを特徴とする請求項１に記載のＭｉＡＮ帯域幅集約方法。
【請求項３】
上記ステップＢにおいて、
プライマリＭｉＡＮは、上記トラフィックの送信がセカンダリＭｉＡＮを介するかを所定のポリシーに基づいて判断し、判断結果がＹＥＳである場合に、上記トラフィックを送信するための上記第１セカンダリＭｉＡＮを選択し、判断結果がＮＯの場合に、自身に対応するＷＡＮ出口リンクを介して上記トラフィックをＷＡＮに送信してから、フローが終了することを特徴とする請求項２に記載のＭｉＡＮ帯域幅集約方法。
【請求項４】
上記ステップＢにおいて、
上記プライマリＭｉＡＮは、自身に対応するＷＡＮ出口リンクの現在のリンク状態パラメータであって、少なくとも送信キュー長、パケット送信遅延、スループット率、ＳＮＲ及び経路損失のうちの一つを含む上記リンク状態パラメータを取得し、
上記現在のリンク状態パラメータが所定の閾値を超えたかを判断し、ＹＥＳの場合に上記トラフィックの送信がセカンダリＭｉＡＮを介すると判断し、ＮＯの場合に上記トラフィックの送信がセカンダリＭｉＡＮを介さないと判断することにより、
上記トラフィックの送信がセカンダリＭｉＡＮを介するかを所定のポリシーに基づいて判断することを特徴とする請求項３に記載のＭｉＡＮ帯域幅集約方法。
【請求項５】
上記ステップＢにおいて、
上記トラフィックが遅延に敏感なサービスであるかを判断し、
ＹＥＳの場合に上記トラフィックの送信がセカンダリＭｉＡＮを介さないと判断し、ＮＯの場合に上記トラフィックの送信がセカンダリＭｉＡＮを介すると判断することにより、
上記トラフィックの送信がセカンダリＭｉＡＮを介するかを所定のポリシーに基づいて判断することを特徴とする請求項３に記載のＭｉＡＮ帯域幅集約方法。
【請求項６】
上記ステップＢにおいて、
上記プライマリＭｉＡＮが上記集約システムにおけるＷＡＮ出口リンクの現在のリンク状態が最適なＭｉＡＮであるかを判断し、
ＹＥＳの場合に上記トラフィックの送信がセカンダリＭｉＡＮを介さないと判断し、ＮＯの場合に上記トラフィックの送信がセカンダリＭｉＡＮを介すると判断することにより、
上記トラフィックの送信がセカンダリＭｉＡＮを介するかを所定のポリシーに基づいて判断することを特徴とする請求項３に記載のＭｉＡＮ帯域幅集約方法。
【請求項７】
上記プライマリＭｉＡＮは、各セカンダリＭｉＡＮが周期的に報告した各ＷＡＮ出口リンクの現在のリンク状態パラメータを受信し、さらに、上記プライマリＭｉＡＮ自身及び各セカンダリＭｉＡＮの現在のリンク状態パラメータに基づき、上記プライマリＭｉＡＮが上記現在のリンク状態が最適なＭｉＡＮであるかを判断し、
上記リンク状態パラメータは、少なくとも送信キュー長、パケット送信遅延、スループット率、ＳＮＲ及び経路損失のうちの一つを含むことを特徴とする請求項６に記載のＭｉＡＮ帯域幅集約方法。
【請求項８】
上記ステップＢにおいて、
各セカンダリＭｉＡＮの現在のリンク状態パラメータに基づき、上記一つ以上のセカンダリＭｉＡＮから現在のリンク状態が最適なセカンダリＭｉＡＮを選択して上記第１セカンダリＭｉＡＮとすることにより、
上記トラフィックを送信するための上記第１セカンダリＭｉＡＮを選択することを特徴とする請求項７に記載のＭｉＡＮ帯域幅集約方法。
【請求項９】
上記ステップＢにおいて、
上記一つ以上のセカンダリＭｉＡＮから一つのセカンダリＭｉＡＮをランダムに選択して上記第１セカンダリＭｉＡＮとすることにより、
上記トラフィックを送信するための上記第１セカンダリＭｉＡＮを選択することを特徴とする請求項３に記載のＭｉＡＮ帯域幅集約方法。
【請求項１０】
上記近接インタフェースは、有線方式又は無線方式で相互通信が実現できるインタフェースであることを特徴とする請求項１に記載のＭｉＡＮ帯域幅集約方法。
【請求項１１】
上記近接インタフェースは、無線ＬＡＮインタフェースを共有するロジックインタフェースであり、
上記プライマリＭｉＡＮと各セカンダリＭｉＡＮとは無線ＬＡＮインタフェースを介して接続と通信を実現し、上記各セカンダリＭｉＡＮと上記プライマリＭｉＡＮとはいずれも同一の無線ＬＡＮ周波数レンジにおいて稼働し、上記各セカンダリＭｉＡＮはいずれもアクセスポイントモードではなく移動局モードにおいて稼働し、且ついずれも上記無線ＬＡＮインタフェースを介して上記プライマリＭｉＡＮと関連付けられるように、
上記プライマリＭｉＡＮは近接インタフェースを介して各セカンダリＭｉＡＮとの間で通信接続が確立されるようになっていることを特徴とする請求項１０に記載のＭｉＡＮ帯域幅集約方法。
【請求項１２】
上記ステップＡの前に、更に、
上記プライマリＭｉＡＮは、各セカンダリＭｉＡＮのアドレス情報を維持して各セカンダリＭｉＡＮとのバインディング関係を確立し、上記アドレス情報に基づいて、近接インタフェースを介して各セカンダリＭｉＡＮとの間で通信接続を確立することを含むことを特徴とする請求項１に記載のＭｉＡＮ帯域幅集約方法。
【請求項１３】
ＷＡＮ出口リンクを介してＷＡＮにアクセスし、少なくとも一つのセカンダリＭｉＡＮと近接インタフェースを介して通信接続が確立されるプライマリＭｉＡＮにおいて、
ＷｉＤからＷＡＮに送信されるトラフィックを受信するための受信手段と、
上記トラフィックを送信するための第１セカンダリＭｉＡＮを選択するための選択手段と、
上記第１セカンダリＭｉＡＮが上記プライマリＭｉＡＮからの上記トラフィックを自身に対応するＷＡＮ出口リンクを介してＷＡＮに送信するように、上記トラフィックを上記第１セカンダリＭｉＡＮに送信するための第１転送手段と、
を含むことを特徴とするプライマリＭｉＡＮ。
【請求項１４】
上記受信手段が上記トラフィックを受信した後、上記トラフィックに対するルーティングテーブルエントリがローカルに確立されているかを判断し、ＹＥＳの場合に、第２転送手段に上記トラフィックのルーティングテーブルエントリに従って上記トラフィックを転送させてからフローが終了し、ＮＯの場合に上記選択手段を動作させるための判断手段と、
上記トラフィックのルーティングテーブルエントリに従って上記トラフィックを転送するための第２転送手段と、
を更に含むことを特徴とする請求項１３に記載のプライマリＭｉＡＮ。
【請求項１５】
上記選択手段は、さらに上記トラフィックの送信がセカンダリＭｉＡＮを介するかを所定のポリシーに基づいて判断し、判断結果がＹＥＳである場合に、上記トラフィックを送信するための上記第１セカンダリＭｉＡＮを選択し、
上記プライマリＭｉＡＮは、上記トラフィックの送信がセカンダリＭｉＡＮを介さないと上記選択手段により判断されると、上記プライマリＭｉＡＮのＷＡＮ出口リンクを介して上記トラフィックをＷＡＮに送信するための第３転送手段を更に含むことを特徴とする請求項１４に記載のプライマリＭｉＡＮ。
【請求項１６】
上記選択手段は、
上記プライマリＭｉＡＮのＷＡＮ出口リンクの現在のリンク状態パラメータであって、少なくとも送信キュー長、パケット送信遅延、スループット率、ＳＮＲ及び経路損失のうちの一つを含む上記パラメータを取得するためのパラメータ取得手段と、
上記現在のリンク状態パラメータが所定の閾値を超えたかを判断し、ＹＥＳの場合に上記トラフィックの送信がセカンダリＭｉＡＮを介すると判断し、ＮＯの場合に上記トラフィックの送信がセカンダリＭｉＡＮを介さないと判断するための閾値判断手段と、
を含むことを特徴とする請求項１５に記載のプライマリＭｉＡＮ。
【請求項１７】
上記選択手段は、
上記トラフィックが遅延に敏感なサービスであるかを判断するためのサービス判断手段を含み、ＹＥＳの場合に上記トラフィックの送信がセカンダリＭｉＡＮを介さないと判断し、ＮＯの場合に上記トラフィックの送信がセカンダリＭｉＡＮを介すると判断することを特徴とする請求項１５に記載のプライマリＭｉＡＮ。
【請求項１８】
上記選択手段は、
上記プライマリＭｉＡＮが集約システムにおけるＷＡＮ出口リンクの現在のリンク状態が最適なＭｉＡＮであるかを判断するための状態判断手段を含み、ＹＥＳの場合に上記トラフィックの送信がセカンダリＭｉＡＮを介さないと判断し、ＮＯの場合に上記トラフィックの送信がセカンダリＭｉＡＮを介すると判断することを特徴とする請求項１５に記載のプライマリＭｉＡＮ。
【請求項１９】
各セカンダリＭｉＡＮが周期的に報告した各ＷＡＮ出口リンクの現在のリンク状態パラメータであって、少なくとも送信キュー長、パケット送信遅延、スループット率、ＳＮＲ及び経路損失のうちの一つを含む上記リンク状態パラメータを収集するパラメータ収集手段を更に含み、
上記状態判断手段は、さらに上記プライマリＭｉＡＮ及び各セカンダリＭｉＡＮの現在のリンク状態パラメータに基づき、上記プライマリＭｉＡＮが上記現在のリンク状態が最適なＭｉＡＮであるかを判断することを特徴とする請求項１８に記載のプライマリＭｉＡＮ。
【請求項２０】
上記選択手段は、
各セカンダリＭｉＡＮの現在のリンク状態パラメータに基づき、上記一つ以上のセカンダリＭｉＡＮから現在のリンク状態が最適なセカンダリＭｉＡＮを選択して上記第１セカンダリＭｉＡＮとするための第１処理手段を更に含むことを特徴とする請求項１９に記載のプライマリＭｉＡＮ。
【請求項２１】
上記選択手段は、
上記一つ以上のセカンダリＭｉＡＮから一つのセカンダリＭｉＡＮをランダムに選択して上記第１セカンダリＭｉＡＮとするための第２処理手段を含むことを特徴とする請求項１５に記載のプライマリＭｉＡＮ。
【請求項２２】
上記近接インタフェースは、有線方式又は無線方式で相互通信が実現できるインタフェースであることを特徴とする請求項１３に記載のプライマリＭｉＡＮ。
【請求項２３】
各セカンダリＭｉＡＮと接続するための無線ＬＡＮインタフェースを更に含み、
上記近接インタフェースは、無線ＬＡＮインタフェースを共有するロジックインタフェースであり、
上記各セカンダリＭｉＡＮと上記プライマリＭｉＡＮとは同一の無線ＬＡＮ周波数レンジにおいて稼働し、上記各セカンダリＭｉＡＮはいずれも移動局モードにおいて稼働し、且ついずれも上記無線ＬＡＮインタフェースを介して上記プライマリＭｉＡＮと関連付けられることを特徴とする請求項２２に記載のプライマリＭｉＡＮ。
【請求項２４】
各セカンダリＭｉＡＮのアドレス情報を維持して各セカンダリＭｉＡＮとのバインディング関係を確立し、上記アドレス情報に基づいて、近接インタフェースを介して各セカンダリＭｉＡＮと通信接続を確立するためのバインディング管理モジュールを更に含むことを特徴とする請求項２３に記載のプライマリＭｉＡＮ。
【請求項２５】
ＷＡＮ出口リンクを介してＷＡＮにアクセスし、プライマリＭｉＡＮと近接インタフェースを介して通信接続が確立されるセカンダリＭｉＡＮにおいて、
上記プライマリＭｉＡＮがＷｉＤから受信した、上記セカンダリＭｉＡＮを介して転送するべき第１トラフィックであって、上記プライマリＭｉＡＮからの上記第１トラフィックを受信するための受信手段と、
受信した上記第１トラフィックを自身に対応するＷＡＮ出口リンクを介してＷＡＮに送信するための転送手段と、
を含むことを特徴とするセカンダリＭｉＡＮ。
【請求項２６】
プライマリＭｉＡＮのアドレス情報を維持して上記プライマリＭｉＡＮとのバインディング関係を確立し、上記アドレス情報に基づいて、上記プライマリＭｉＡＮと近接インタフェースを介して通信接続を確立するためのバインディング管理モジュールを更に含むことを特徴とする請求項２５に記載のセカンダリＭｉＡＮ。
【請求項２７】
上記プライマリＭｉＡＮが各ＭｉＡＮの現在のリンク状態パラメータに基づきトラフィックを転送するためのＭｉＡＮを選択するように、上記プライマリＭｉＡＮに対して自身が対応するＷＡＮ出口リンクの現在のリンク状態パラメータを周期的に報告するためのパラメータ報告手段を更に含み、
上記リンク状態パラメータは、少なくとも送信キュー長、パケット送信遅延、スループット率、ＳＮＲ及び経路損失のうちの一つを含むことを特徴とする請求項２５に記載のセカンダリＭｉＡＮ。
【請求項２８】
一つのプライマリＭｉＡＮと一つ以上のセカンダリＭｉＡＮとを備え、上記プライマリＭｉＡＮとセカンダリＭｉＡＮはいずれも各自に対応するＷＡＮ出口リンクを介してＷＡＮにアクセスし、上記プライマリＭｉＡＮは近接インタフェースを介して各セカンダリＭｉＡＮとの間で通信接続が確立されるようになっているＭｉＡＮ帯域幅の集約システムにおいて、
上記プライマリＭｉＡＮは、
ＷｉＤからＷＡＮに送信されるトラフィックを受信し、上記トラフィックの送信がセカンダリＭｉＡＮを介するかを所定のポリシーに基づいて判断し、判断結果がＹＥＳである場合に、上記トラフィックを送信するための第１セカンダリＭｉＡＮを選択し、それから、上記トラフィックを上記第１セカンダリＭｉＡＮに送信し、
上記第１セカンダリＭｉＡＮは、
上記プライマリＭｉＡＮからの上記トラフィックを受信し、自身に対応するＷＡＮ出口リンクを介して上記トラフィックをＷＡＮに送信することを特徴とするＭｉＡＮ帯域幅の集約システム。
【発明の詳細な説明】
【技術分野】
【０００１】
本発明は、データ通信技術分野に関し、特にＭｉＡＮ（Ｍｏｂｉｌｅ  ｉｎｔｅｒｎｅｔ  Ａｃｃｅｓｓ  Ｎｏｄｅ）及びＭｉＡＮ帯域幅集約方法並びに集約システムに関する。
【背景技術】
【０００２】
図１に示されている、ＭｉＡＮを含むアクセスネットワークの構造図を参照する。ＭｉＡＮ（Ｍｏｂｉｌｅ  ｉｎｔｅｒｎｅｔ  Ａｃｃｅｓｓ  Ｎｏｄｅ）は、ＷＡＮと無線ローカルエリアネットワーク（ＷＬＡＮ）の両方にアクセス可能なデバイスである。そのＷＡＮインタフェースは、無線インタフェースでも有線インタフェースでもよいが、ＷＡＮ出口リンクを介してあらゆる標準化されたセルラーネットワークシステム（例えばＷＣＤＭＡ、ＣＤＭＡ、ＷｉＭＡＸ、ＬＴＥ、ＬＴＥ−Ａなど）にアクセスする。そのＷＬＡＮインタフェースは、８０２．１１ＷｉＦｉに基づいた無線インタフェースであってもよい。
【０００３】
ＭｉＡＮは、上記両インタフェースのほか、ＭｉＡＮ同士の通信を実現するための近接インタフェース（Ｐｒｏｘｉｍｉｔｙ  Ｉｎｔｅｒｆａｃｅ）を更に有してもよい。該インタフェースは、例えばブルートゥース、Ｚｉｇｂｅｅ、ＮＦＣ（Ｎｅａｒ  Ｆｉｅｌｄ  Ｃｏｍｍｕｎｉｃａｔｉｏｎ）等の短距離通信技術、又は、８０２．１１ＷｉＦｉ無線通信技術、ＷｉＦｉ  ｄｉｒｅｃｔ、又は、イーサネット、ＲＪ４５等の有線接続技術等多種類の通信技術に基づいて実現可能である。
【０００４】
近接インタフェースは、単独での物理実体インタフェースであってもよいし、例えば物理実体インタフェースをＷＬＡＮインタフェースと共有する一つのロジックインタフェースのようなロジックインタフェースであってもよい。図２には、近接インタフェースとＷＬＡＮインタフェースとで物理実体インタフェースを共有するＭｉＡＮが示されている。
【０００５】
ＷｉＤ（Ｗｉｒｅｌｅｓｓ  ｉｎｔｅｒｎｅｔ  Ｄｅｖｉｃｅ）は、例えばスマートフォン、デジタルカメラ、ゲーム機など、ＷＬＡＮインタフェース付きの、多種類の異なるインターネットアプリケーションをサポートする端末設備である。ＷｉＤとＭｉＡＮとは、ＷＬＡＮインタフェースを介して接続される。
【０００６】
ＭｉＡＮのＷＡＮ出口リンクの帯域幅は限度があり、且つ通常はＷＬＡＮ側帯域幅より遥かに小さいため、ＷｉＤのサービスデータ量の著しく増加につれ、ＭｉＡＮのＷＡＮ出口リンクの帯域幅が上記アクセスネットワークシステムのネックとなり、端末ユーザによるネットワークのエクスペリエンスに大きく影響する。
【発明の概要】
【発明が解決しようとする課題】
【０００７】
本発明が解決しようとする技術問題は、ＭｉＡＮ及びＭｉＡＮ帯域幅集約方法並びに集約システムを提供して、ＭｉＡＮのＷＡＮ出口リンクの帯域幅の集約と共有を実現することである。
【課題を解決するための手段】
【０００８】
上記技術問題を解決するために、本発明のある実施例によれば、次の解決案を提供する。
【０００９】
一つのプライマリＭｉＡＮと一つ以上のセカンダリＭｉＡＮとを備え、上記プライマリＭｉＡＮとセカンダリＭｉＡＮはいずれも各自に対応するＷＡＮ出口リンクを介してＷＡＮにアクセスし、上記プライマリＭｉＡＮは近接インタフェースを介して各セカンダリＭｉＡＮとの間で通信接続が確立されるようになっている集約システムに応用されるＭｉＡＮ帯域幅集約方法において、プライマリＭｉＡＮは、ＷｉＤからＷＡＮに送信されるトラフィックを受信するステップＡと、プライマリＭｉＡＮは、上記トラフィックを送信するための第１セカンダリＭｉＡＮを選択するステップＢと、プライマリＭｉＡＮは、上記第１セカンダリＭｉＡＮが自身に対応するＷＡＮ出口リンクを介して上記プライマリＭｉＡＮからの上記トラフィックをＷＡＮに送信するように、上記トラフィックを上記第１セカンダリＭｉＡＮに送信するステップＣとを含む。
【００１０】
本発明のある実施例によれば、上記方法のステップＡとステップＢとの間に、上記トラフィックに対するルーティングテーブルエントリがローカルに確立されているか否かをプライマリＭｉＡＮが判断し、ＹＥＳの場合に上記トラフィックのルーティングテーブルエントリに従い上記トラフィックを転送してからフローが終了し、ＮＯの場合に上記ステップＢに進むステップＡ１を更に含む。
【００１１】
本発明のある実施例によれば、上記ステップＢにおいて、プライマリＭｉＡＮは、上記トラフィックの送信がセカンダリＭｉＡＮを介するかを所定のポリシーに基づいて判断し、判断結果がＹＥＳである場合に、上記トラフィックを送信するための上記第１セカンダリＭｉＡＮを選択し、判断結果がＮＯの場合に、自身に対応するＷＡＮ出口リンクを介して上記トラフィックをＷＡＮに送信してから、フローが終了する。
【００１２】
本発明のある実施例によれば、上記ステップＢにおいて、上記プライマリＭｉＡＮは、自身に対応するＷＡＮ出口リンクの現在のリンク状態パラメータであって、少なくとも送信キュー長、パケット送信遅延、スループット率、ＳＮＲ及び経路損失のうちの一つを含む上記リンク状態パラメータを取得し、上記現在のリンク状態パラメータが所定の閾値を超えたかを判断し、ＹＥＳの場合に上記トラフィックの送信がセカンダリＭｉＡＮを介すると判断し、ＮＯの場合に上記トラフィックの送信がセカンダリＭｉＡＮを介さないと判断することにより、上記トラフィックの送信がセカンダリＭｉＡＮを介するかを所定のポリシーに基づいて判断する。
【００１３】
本発明のある実施例によれば、上記ステップＢにおいて、上記トラフィックが遅延に敏感なサービスであるかを判断し、ＹＥＳの場合に上記トラフィックの送信がセカンダリＭｉＡＮを介さないと判断し、ＮＯの場合に上記トラフィックの送信がセカンダリＭｉＡＮを介すると判断することにより、上記トラフィックの送信がセカンダリＭｉＡＮを介するかを所定のポリシーに基づいて判断する。
【００１４】
本発明のある実施例によれば、上記ステップＢにおいて、上記プライマリＭｉＡＮが上記集約システムにおけるＷＡＮ出口リンクの現在のリンク状態が最適なＭｉＡＮであるかを判断し、ＹＥＳの場合に上記トラフィックの送信がセカンダリＭｉＡＮを介さないと判断し、ＮＯの場合に上記トラフィックの送信がセカンダリＭｉＡＮを介すると判断することにより、上記トラフィックの送信がセカンダリＭｉＡＮを介するかを所定のポリシーに基づいて判断する。
【００１５】
本発明のある実施例によれば、上記プライマリＭｉＡＮは、各セカンダリＭｉＡＮが周期的に報告した各ＷＡＮ出口リンクの現在のリンク状態パラメータを受信し、さらに、上記プライマリＭｉＡＮ自身及び各セカンダリＭｉＡＮの現在のリンク状態パラメータに基づき、上記プライマリＭｉＡＮが上記現在のリンク状態が最適なＭｉＡＮであるかを判断し、上記リンク状態パラメータは、少なくとも送信キュー長、パケット送信遅延、スループット率、ＳＮＲ及び経路損失のうちの一つを含む。
【００１６】
本発明のある実施例によれば、上記ステップＢにおいて、各セカンダリＭｉＡＮの現在のリンク状態パラメータに基づき、上記一つ以上のセカンダリＭｉＡＮから現在のリンク状態が最適なセカンダリＭｉＡＮを選択して上記第１セカンダリＭｉＡＮとすることにより、上記トラフィックを送信するための上記第１セカンダリＭｉＡＮを選択する。
【００１７】
本発明のある実施例によれば、上記ステップＢにおいて、上記一つ以上のセカンダリＭｉＡＮから一つのセカンダリＭｉＡＮをランダムに選択して上記第１セカンダリＭｉＡＮとすることにより、上記トラフィックを送信するための上記第１セカンダリＭｉＡＮを選択する。
【００１８】
本発明のある実施例によれば、上記近接インタフェースは、有線方式又は無線方式で相互通信が実現できるインタフェースである。
【００１９】
本発明のある実施例によれば、上記プライマリＭｉＡＮと各セカンダリＭｉＡＮとは無線ＬＡＮインタフェースを介して接続と通信を実現し、上記各セカンダリＭｉＡＮと上記プライマリＭｉＡＮとはいずれも同一の無線ＬＡＮ周波数レンジにおいて稼働し、上記各セカンダリＭｉＡＮはいずれもアクセスポイントモードではなく移動局モードにおいて稼働し、且ついずれも上記無線ＬＡＮインタフェースを介して上記プライマリＭｉＡＮと関連付けられるように、上記プライマリＭｉＡＮは近接インタフェースを介して各セカンダリＭｉＡＮとの間で通信接続が確立されるようになっている。
【００２０】
本発明のある実施例によれば、上記ステップＡの前に、更に、上記プライマリＭｉＡＮは、各セカンダリＭｉＡＮのアドレス情報を維持して各セカンダリＭｉＡＮとのバインディング関係を確立し、上記アドレス情報に基づいて、近接インタフェースを介して各セカンダリＭｉＡＮとの間で通信接続を確立する。
【００２１】
本発明のある実施例によれば、ＷＡＮ出口リンクを介してＷＡＮにアクセスし、少なくとも一つのセカンダリＭｉＡＮと近接インタフェースを介して通信接続が確立されるプライマリＭｉＡＮを更に提供し、該プライマリＭｉＡＮにおいて、ＷｉＤからＷＡＮに送信されるトラフィックを受信するための受信手段と、上記トラフィックを送信するための第１セカンダリＭｉＡＮを選択するための選択手段と、上記第１セカンダリＭｉＡＮが上記プライマリＭｉＡＮからの上記トラフィックを自身に対応するＷＡＮ出口リンクを介してＷＡＮに送信するように、上記トラフィックを上記第１セカンダリＭｉＡＮに送信するための第１転送手段とを含む。
【００２２】
本発明のある実施例によれば、上記プライマリＭｉＡＮにおいて、上記受信手段が上記トラフィックを受信した後、上記トラフィックに対するルーティングテーブルエントリがローカルに確立されているかを判断し、ＹＥＳの場合に、第２転送手段に上記トラフィックのルーティングテーブルエントリに従って上記トラフィックを転送させてからフローが終了し、ＮＯの場合に上記選択手段を動作させるための判断手段と、上記トラフィックのルーティングテーブルエントリに従って上記トラフィックを転送するための第２転送手段とを更に含む。
【００２３】
本発明のある実施例によれば、上記選択手段は、さらに上記トラフィックの送信がセカンダリＭｉＡＮを介するかを所定のポリシーに基づいて判断し、判断結果がＹＥＳである場合に、上記トラフィックを送信するための上記第１セカンダリＭｉＡＮを選択し、上記プライマリＭｉＡＮは、上記トラフィックの送信がセカンダリＭｉＡＮを介さないと上記選択手段により判断されると、上記プライマリＭｉＡＮのＷＡＮ出口リンクを介して上記トラフィックをＷＡＮに送信するための第３転送手段を更に含む。
【００２４】
本発明のある実施例によれば、上記プライマリＭｉＡＮにおいて、上記選択手段は、上記プライマリＭｉＡＮのＷＡＮ出口リンクの現在のリンク状態パラメータであって、少なくとも送信キュー長、パケット送信遅延、スループット率、ＳＮＲ及び経路損失のうちの一つを含む上記パラメータを取得するためのパラメータ取得手段と、上記現在のリンク状態パラメータが所定の閾値を超えたかを判断し、ＹＥＳの場合に上記トラフィックの送信がセカンダリＭｉＡＮを介すると判断し、ＮＯの場合に上記トラフィックの送信がセカンダリＭｉＡＮを介さないと判断するための閾値判断手段とを含む。
【００２５】
本発明のある実施例によれば、上記選択手段は、上記トラフィックが遅延に敏感なサービスであるかを判断するためのサービス判断手段を含み、ＹＥＳの場合に上記トラフィックの送信がセカンダリＭｉＡＮを介さないと判断し、ＮＯの場合に上記トラフィックの送信がセカンダリＭｉＡＮを介すると判断する。
【００２６】
本発明のある実施例によれば、上記選択手段は、上記プライマリＭｉＡＮが集約システムにおけるＷＡＮ出口リンクの現在のリンク状態が最適なＭｉＡＮであるかを判断するための状態判断手段を含み、ＹＥＳの場合に上記トラフィックの送信がセカンダリＭｉＡＮを介さないと判断し、ＮＯの場合に上記トラフィックの送信がセカンダリＭｉＡＮを介すると判断する。
【００２７】
本発明のある実施例によれば、上記プライマリＭｉＡＮにおいて、各セカンダリＭｉＡＮが周期的に報告した各ＷＡＮ出口リンクの現在のリンク状態パラメータであって、少なくとも送信キュー長、パケット送信遅延、スループット率、ＳＮＲ及び経路損失のうちの一つを含む上記リンク状態パラメータを収集するパラメータ収集手段を更に含み、上記状態判断手段は、さらに上記プライマリＭｉＡＮ及び各セカンダリＭｉＡＮの現在のリンク状態パラメータに基づき、上記プライマリＭｉＡＮが上記現在のリンク状態が最適なＭｉＡＮであるかを判断する。
【００２８】
本発明のある実施例によれば、上記選択手段は、各セカンダリＭｉＡＮの現在のリンク状態パラメータに基づき、上記一つ以上のセカンダリＭｉＡＮから現在のリンク状態が最適なセカンダリＭｉＡＮを選択して上記第１セカンダリＭｉＡＮとするための第１処理手段を更に含む。
【００２９】
本発明のある実施例によれば、上記選択手段は、上記一つ以上のセカンダリＭｉＡＮから一つのセカンダリＭｉＡＮをランダムに選択して上記第１セカンダリＭｉＡＮとするための第２処理手段を含む。
【００３０】
本発明のある実施例によれば、上記近接インタフェースは、有線方式又は無線方式で相互通信が実現できるインタフェースである。
【００３１】
本発明のある実施例によれば、上記プライマリＭｉＡＮにおいて、各セカンダリＭｉＡＮと接続するための無線ＬＡＮインタフェースを更に含み、上記近接インタフェースは、無線ＬＡＮインタフェースを共有するロジックインタフェースであり、上記各セカンダリＭｉＡＮと上記プライマリＭｉＡＮとは同一の無線ＬＡＮ周波数レンジにおいて稼働し、上記各セカンダリＭｉＡＮはいずれも移動局モードにおいて稼働し、且ついずれも上記無線ＬＡＮインタフェースを介して上記プライマリＭｉＡＮと関連付けられる。
【００３２】
本発明のある実施例によれば、上記プライマリＭｉＡＮにおいて、各セカンダリＭｉＡＮのアドレス情報を維持して各セカンダリＭｉＡＮとのバインディング関係を確立し、上記アドレス情報に基づいて、近接インタフェースを介して各セカンダリＭｉＡＮと通信接続を確立するためのバインディング管理モジュールを更に含む。
【００３３】
本発明のある実施例によれば、ＷＡＮ出口リンクを介してＷＡＮにアクセスし、プライマリＭｉＡＮと近接インタフェースを介して通信接続が確立されるセカンダリＭｉＡＮを更に提供し、該セカンダリＭｉＡＮにおいて、上記プライマリＭｉＡＮがＷｉＤから受信した、上記セカンダリＭｉＡＮを介して転送するべき第１トラフィックであって、上記プライマリＭｉＡＮからの上記第１トラフィックを受信するための受信手段と、受信した上記第１トラフィックを自身に対応するＷＡＮ出口リンクを介してＷＡＮに送信するための転送手段とを含む。
【００３４】
本発明のある実施例によれば、上記セカンダリＭｉＡＮにおいて、プライマリＭｉＡＮのアドレス情報を維持して上記プライマリＭｉＡＮとのバインディング関係を確立し、上記アドレス情報に基づいて、上記プライマリＭｉＡＮと近接インタフェースを介して通信接続を確立するためのバインディング管理モジュールを更に含む。
【００３５】
本発明のある実施例によれば、上記セカンダリＭｉＡＮにおいて、上記プライマリＭｉＡＮが各ＭｉＡＮの現在のリンク状態パラメータに基づきトラフィックを転送するためのＭｉＡＮを選択するように、上記プライマリＭｉＡＮに対して自身が対応するＷＡＮ出口リンクの現在のリンク状態パラメータを周期的に報告するためのパラメータ報告手段を更に含み、上記リンク状態パラメータは、少なくとも送信キュー長、パケット送信遅延、スループット率、ＳＮＲ及び経路損失のうちの一つを含む。
【００３６】
本発明のある実施例によれば、一つのプライマリＭｉＡＮと一つ以上のセカンダリＭｉＡＮとを備え、上記プライマリＭｉＡＮとセカンダリＭｉＡＮはいずれも各自に対応するＷＡＮ出口リンクを介してＷＡＮにアクセスし、上記プライマリＭｉＡＮは近接インタフェースを介して各セカンダリＭｉＡＮとの間で通信接続が確立されるようになっているＭｉＡＮ帯域幅の集約システムを更に提供し、該ＭｉＡＮ帯域幅の集約システムにおいて、上記プライマリＭｉＡＮは、ＷｉＤからＷＡＮに送信されるトラフィックを受信し、上記トラフィックの送信がセカンダリＭｉＡＮを介するかを所定のポリシーに基づいて判断し、判断結果がＹＥＳである場合に、上記トラフィックを送信するための第１セカンダリＭｉＡＮを選択し、それから、上記トラフィックを上記第１セカンダリＭｉＡＮに送信し、上記第１セカンダリＭｉＡＮは、上記プライマリＭｉＡＮからの上記トラフィックを受信し、自身に対応するＷＡＮ出口リンクを介して上記トラフィックをＷＡＮに送信する。
【発明の効果】
【００３７】
上記記載から分かるように、本発明によるＭｉＡＮ及びＭｉＡＮ帯域幅集約方法並びに集約システムにおいて、プライマリＭｉＡＮがＷＡＮにトラフィックを転送するときに、プライマリＭｉＡＮのＷＡＮ出口リンクを介してＷＡＮに送信するのではなく、セカンダリＭｉＡＮのＷＡＮ出口リンクを介してＷＡＮに送信することにより、ＭｉＡＮ間のＷＡＮ出口リンクの集約と共有を実現できる。例えば、プライマリＭｉＡＮのＷＡＮ出口リンクの帯域幅資源に余裕がない場合に、セカンダリＭｉＡＮのＷＡＮ出口リンクの帯域幅資源を利用してＷｉＤが取得可能な帯域幅とスループット率を増加させ、それにより端末ユーザのエクスペリエンスを向上させることができる。また、本実施例において、いかなる従来のセルラーネットワーク構造とネットワーク設備でも変更を加えられる必要がなく、ネットワーク設備を別途追加する必要がないとともに、従来のＭｉＡＮハードウェアとファームウェア構造を変更する必要がなく、ＷｉＤ設備を変更する必要もなく、従来のＭｉＡＮの機能についてソフトウェアのアップグレードを行なえば実現可能であり、簡単に実現でき、コストが低いといった利点を有する。
【図面の簡単な説明】
【００３８】
【図１】従来技術における、ＭｉＡＮを含むアクセスネットワークの構造を示す図面である。
【図２】従来技術における、近接インタフェースとＷＬＡＮインタフェースとで物理実体インタフェースを共有するＭｉＡＮの構造を示す図面である。
【図３】本実施例によるＭｉＡＮ帯域幅集約方法のフローを示す図面である。
【図４】本実施例による方法を応用するトラフィック転送を示す図面である。
【図５】本実施例による方法を応用する別のトラフィック転送を示す図面である。
【図６】本実施例による方法を応用するトラフィック送信の詳細なフローを示す図面である。
【図７】本実施例によるＭｉＡＮの構造を示す図面である。
【発明を実施するための形態】
【００３９】
本発明は、主として二つ以上のＭｉＡＮのＷＡＮ出口リンクを柔軟に集約することによりＭｉＡＮ間のＷＡＮ出口リンクの共有を実現し、ＷＡＮ出口リンクによるシステム帯域幅ネック問題を改善し、端末ユーザのエクスペリエンスを向上させる。
【００４０】
以下、図面とともに、具体的な実施例を通して本発明の更なる説明をする。
【００４１】
本発明の実施例によるＭｉＡＮ帯域幅集約方法は、集約システムに応用される。上記集約システムは、一つのプライマリＭｉＡＮと一つ以上のセカンダリＭｉＡＮを含む。上記プライマリＭｉＡＮとセカンダリＭｉＡＮはいずれも各自に対応するＷＡＮ出口リンクを介してＷＡＮにアクセスする。上記プライマリＭｉＡＮと各セカンダリＭｉＡＮとは近接インタフェースを介して通信接続が確立される。具体的に、上記プライマリＭｉＡＮとセカンダリＭｉＡＮはいずれも各自に対応するＷＡＮ出口リンクを介して、対応するプロバイダアクセスゲートウェイに接続することにより、セルラーネットワークコアネットワーク又はインターネット（ｉｎｔｅｒｎｅｔ）に接続する。
【００４２】
図３に示すように、本実施例による方法は、具体的に下記のステップを含む。
【００４３】
ステップ３１において、プライマリＭｉＡＮは、ＷｉＤからＷＡＮに送信されるトラフィックを受信する。ここで、各ＷｉＤは、プライマリＭｉＡＮと関連付けられることにより、プライマリＭｉＡＮを介してインターネットにアクセスしてもよい。ＷｉＤは、インターネットにアクセスするとき、プライマリＭｉＡＮを介してＷＡＮにトラフィックを送信する。ここでのトラフィックがＩＰパケットであってもよい。
【００４４】
ステップ３２において、プライマリＭｉＡＮは、上記トラフィックを送信するための第１セカンダリＭｉＡＮを選択する。ここで、ステップ３２において上記トラフィックの送信がセカンダリＭｉＡＮを介すると判断したとき、プライマリＭｉＡＮは、具体的に、上記トラフィックの送信がセカンダリＭｉＡＮを介するかを所定のポリシーに基づいて判断し、判断結果がＹＥＳである場合に、すべてのセカンダリＭｉＡＮから一つのセカンダリＭｉＡＮをランダムに選択して上記第１セカンダリＭｉＡＮとするか、現在のリンク状態が最適なセカンダリＭｉＡＮをすべてのセカンダリＭｉＡＮから選択して上記第１セカンダリＭｉＡＮとする。こうして、プライマリＭｉＡＮは、ＷＡＮへのトラフィックを転送するとき、従来技術のように直接に自身に対応するＷＡＮインタフェース及びＷＡＮ出口リンクを介して送信するのではなく、セカンダリＭｉＡＮを利用して送信するかを予め定められたポリシーに基づいて判断し、それにより、必要となるときにセカンダリＭｉＡＮのＷＡＮ出口リンク帯域幅を利用する。
【００４５】
ステップ３３において、プライマリＭｉＡＮは、上記第１セカンダリＭｉＡＮが上記プライマリＭｉＡＮからの上記トラフィックを自身に対応するＷＡＮ出口リンクを介してＷＡＮに送信するように、上記トラフィックを上記第１セカンダリＭｉＡＮに送信する。
【００４６】
上記ステップ３３において、上記トラフィックはプライマリＭｉＡＮのＷＡＮ出口リンクを介してＷＡＮに送信されるのではなく、プライマリＭｉＡＮ自身の近接インタフェースを介して上記トラフィックを第１セカンダリＭｉＡＮに送信され、第１セカンダリＭｉＡＮがプライマリＭｉＡＮからのトラフィックを受信すると、自身のＭｉＡＮを介して該トラフィックをＷＡＮに送信し、上記トラフィックは第１セカンダリＭｉＡＮのＭｉＡＮを介して転送される。それにより、ＭｉＡＮ間のＷＡＮ出口リンクの集約と共有を実現することができる。例えば、プライマリＭｉＡＮのＷＡＮ出口リンクの帯域幅資源に余裕がない場合に、セカンダリＭｉＡＮのＷＡＮ出口リンクの帯域幅資源を利用して、端末ユーザのエクスペリエンスを向上させることができる。
【００４７】
上記ステップ３２において、プライマリＭｉＡＮは、上記トラフィックの送信がセカンダリＭｉＡＮを介さないと所定のポリシーに基づいて判断すると、自身に対応するＷＡＮ出口リンクを介して上記トラフィックをＷＡＮに送信してから、フローが終了する。こうして、該トラフィックは、依然としてプライマリＭｉＡＮのＷＡＮ出口リンクを介してＷＡＮに送信される。
【００４８】
図４は、本実施例による方法を応用するトラフィック転送を示す図面である。図４には、一つのセカンダリＭｉＡＮと二つのＷｉＤ（ＷｉＤ１とＷｉＤ２）のみ示されている。各ＷｉＤは、そのＷＡＮ出口リンクを介して、例えば基地局ＢＳ／基地局コントローラＢＳＣ又はｅＮＢ等のネットワーク手段に接続でき、コアネットワーク又はインターネットに接続する。上記プライマリＭｉＡＮは、近接インタフェースを介して各セカンダリＭｉＡＮと通信接続を確立する。
【００４９】
本実施例において、ＭｉＡＮは、端末ユーザのアクセス制御、ＷＡＮへのトラフィックの転送制御をするプライマリＭｉＡＮと、プライマリＭｉＡＮからのトラフィックを転送するセカンダリＭｉＡＮに分類されることが分かる。プライマリＭｉＡＮは、ＷｉＤ１からのトラフィックを経路１を介して転送するときに自身に対応するＷＡＮ出口リンク上において転送するが、セカンダリＭｉＡＮによる分流が必要となるとき、ＷｉＤ１からのトラフィックを経路２を介してＷＡＮに転送できる。このとき、セカンダリＭｉＡＮのＷＡＮ出口リンクが使用される。こうして、複数のＭｉＡＮ間のＷＡＮ出口リンクの帯域幅の集約と共有を実現し、端末ユーザのエクスペリエンスを向上させることができる。
【００５０】
図５は、本実施例による方法を応用する別のトラフィック転送を示す図面であり、二つのセカンダリＭｉＡＮ（勿論それ以上のセカンダリＭｉＡＮを含んでもよい）と三つのＷｉＤが示されている。プライマリＭｉＡＮは、ＷｉＤ１からのトラフィックを経路１を介して転送するときに自身に対応するＷＡＮ出口リンク上において転送するが、ＷｉＤ２からのトラフィックを経路２を介して転送するときにセカンダリＭｉＡＮ1のＷＡＮ出口リンク上において転送し、ＷｉＤ３からのトラフィックを経路３を介して転送するときにセカンダリＭｉＡＮ２のＷＡＮ出口リンク上において転送する。当該図面は、例示するためのものに過ぎない。もちろん、同一ＷｉＤからの異なるトラフィックは異なるセカンダリＭｉＡＮに転送される可能性もある。
【００５１】
トラフィックの転送はプライマリＭｉＡＮとセカンダリＭｉＡＮにおいて処理され、本実施例では、端末に対していかなる変更であっても必要とせず、上記トラフィックの転送処理は、端末ユーザにとって透明である。
【００５２】
上記ステップ３１の前に、上記プライマリＭｉＡＮは、各セカンダリＭｉＡＮとの間にバインディング関係を確立され、それにより、自身とバインディングされるセカンダリＭｉＡＮを特定できるようになる。具体的な確立方式として、プライマリＭｉＡＮに各セカンダリＭｉＡＮのアドレス情報（ＩＰアドレスとＭＡＣアドレスを含む）を配置すること、セカンダリＭｉＡＮにプライマリＭｉＡＮのアドレス情報（ＩＰアドレスとＭＡＣアドレスを含む）を配置することによって行なわれる。もちろん、ＭｉＡＮ同士で協商する方式によりプライマリＭｉＡＮとセカンダリＭｉＡＮとの間に上記バインディング関係を確立してもよい。
【００５３】
同一トラフィックに対する同一の転送処理を更に実現するために、本実施例は、上記ステップ３１と３２との間に更に下記のステップを有してもよい。
【００５４】
ステップ３１Ａにおいて、上記トラフィックに対するルーティングテーブルエントリがローカルに確立されているか否かをプライマリＭｉＡＮが判断し、ＹＥＳの場合に上記トラフィックのルーティングテーブルエントリに従い上記トラフィックを転送してからフローが終了し、ＮＯの場合に上記ステップ３２に進む。
【００５５】
ここで、同一トラフィックは、トラフィックの五元グループ（ソースＩＰアドレス、ソースポート、宛先ＩＰアドレス、宛先ポート、伝送レイヤプロトコル番号）によって表される。従来技術では、ＷＡＮへのトラフィックは、プライマリＭｉＡＮによりルーティングテーブルにおけるデフォルトのルーティングに従って自身のＷＡＮインタフェースに転送され、デフォルトのプロバイダアクセスゲートウェイに送信される可能性がある。
【００５６】
本実施例は、ステップ３１Ａにおいて、該トラフィックに対するルーティングテーブルエントリが確立されているか否かが判断される。存在している場合に、今まで同一トラフィックを転送したことがあり且つルーティングテーブルには該トラフィックの転送テーブルエントリが残されていることを意味する。したがって、同一トラフィックの転送経路の同一を保証するために、該ルーティングテーブルエントリに従い引き続き転送をする。存在しない場合に、ステップ３２に進み処理をする。しかも、ステップ３２において、上記トラフィックを送信するための第１セカンダリＭｉＡＮを選択した後、更にルーティングテーブルを修正してもよい。該トラフィックについて新しいルーティングテーブルエントリを作成する。該ルーティングテーブルエントリのネクストホップ（ゲートウェイ）アドレスは、上記第１セカンダリＭｉＡＮであり、出口となるインタフェースは、プライマリＭｉＡＮ上の上記第１セカンダリＭｉＡＮと接続する近接インタフェースである。ルーティングテーブルは、従来技術の保守方法で保守すればよい。
【００５７】
本実施例において、プライマリＭｉＡＮは、上記ステップ３２において多種類の予め定義されたポリシーを採用することができ、ネットワークの実際状況に応じて、複数のセカンダリＭｉＡＮの間でトラフィックをバランスを保ちながら動的に割り当てる。以下、例を挙げて説明する。
【００５８】
＜ポリシー１＞
該ポリシーは、プライマリＭｉＡＮのＷＡＮ出口リンクのリンク状態パラメータに対して、対応する閾値を予め設定するものである。ステップ３２において、プライマリＭｉＡＮがＷＡＮ出口リンクの現在のリンク状態パラメータを取得し、現在のリンク状態パラメータが所定の閾値を超えた場合に、上記トラフィックの送信がセカンダリＭｉＡＮを介すると判断し、逆の場合に、送信がセカンダリＭｉＡＮを介さず、直接プライマリＭｉＡＮを介して送信できる。
【００５９】
具体的に、ＷＡＮ出口リンクのリンク状態パラメータは、ＷＡＮインタフェースの送信キュー長、パケット送信遅延、スループット率、ＳＮＲ及び経路損失などのパラメータのうちのいずれか一つにより表されてもよい。ここで、上記二種類以上のパラメータにより表されてもよい。このとき、各パラメータに対してそれぞれ閾値を予め設定し、いずれのパラメータが対応する閾値を超えた場合に、上記トラフィックの送信がセカンダリＭｉＡＮを介すると判断する。
【００６０】
＜ポリシー２＞
該ポリシーは、上記トラフィックの種類に応じて対応する転送方式を特定するものである。具体的に、上記トラフィックが遅延に敏感なサービスである場合に、上記トラフィックの送信がセカンダリＭｉＡＮを介さないと判断し、このとき直接プライマリＭｉＡＮを介して送信する。逆の場合に、上記トラフィックの送信がセカンダリＭｉＡＮを介すると判断する。こうして、プライマリＭｉＡＮは、遅延に敏感なサービスを優先的に、好ましくは自身に対応するＷＡＮ出口リンクを介して転送し、転送経路のホップ数を減少し、転送遅延を低下させる。遅延に敏感でないサービスについて、セカンダリＭｉＡＮのＷＡＮ出口リンクを介して転送できる。
【００６１】
具体的に、遅延に敏感なサービスは、音声サービス、ファクシミリサービス、映像サービス及びＴＣＰアプリケーションサービスなどを含む。通常は、サービス伝送遅延にそれぞれの要求があり、例えば、ファクシミリサービスの最大許容伝送遅延は、通常９０ｍｓである。遅延に敏感なサービスは、管理員で自ら設定してもよい。
【００６２】
＜ポリシー３＞
該ポリシーでは、すべてのＭｉＡＮのＷＡＮ出口リンクの現在のリンク状態が考慮され、常にすべてのＭｉＡＮのうち現在のリンク状態が最適なＭｉＡＮを選択して転送を行なう。このとき、上記ステップ３２において、上記トラフィックの送信がセカンダリＭｉＡＮを介するかを所定のポリシーに基づいて判断することは、具体的に次のように行なわれる。即ち、上記プライマリＭｉＡＮが上記集約システムにおける現在のリンク状態が最適なＭｉＡＮであるかを判断し、ＹＥＳの場合に上記トラフィックの送信がセカンダリＭｉＡＮを介さないと判断し、このとき直接プライマリＭｉＡＮを介して送信するが、ＮＯの場合に上記トラフィックの送信がセカンダリＭｉＡＮを介すると判断する。
【００６３】
このポリシーに従い、セカンダリＭｉＡＮは各ＷＡＮ出口リンクの現在のリンク状態パラメータを周期的に報告する。プライマリＭｉＡＮは各セカンダリＭｉＡＮのリンク状態パラメータを受信し、さらに、プライマリＭｉＡＮ自身及び各セカンダリＭｉＡＮの現在のリンク状態パラメータに基づき、自身が上記現在のリンク状態が最適なＭｉＡＮであるかを判断する。上記リンク状態パラメータは、少なくとも送信キュー長、パケット送信遅延、スループット率、ＳＮＲ及び経路損失のうちの一つを含む。
【００６４】
プライマリＭｉＡＮが上記現在のリンク状態が最適なＭｉＡＮではない場合に、プライマリＭｉＡＮは、各セカンダリＭｉＡＮの現在のリンク状態パラメータに基づき、すべてのセカンダリＭｉＡＮから現在のリンク状態が最適なセカンダリＭｉＡＮを選択して上記第１セカンダリＭｉＡＮとする。
【００６５】
本実施例は、上記二種類以上のポリシーを同時に考慮して判断してもよい。例えば、上記ポリシー１とポリシー２を同時に考慮する。このとき、上記ステップ３２において、上記トラフィックの送信がセカンダリＭｉＡＮを介するかを所定のポリシーに基づいて判断することは、具体的に下記のように行なわれる。
【００６６】
プライマリＭｉＡＮのＷＡＮ出口リンクの現在のリンク状態パラメータを取得し、上記現在のリンク状態パラメータが所定のパラメータ閾値を超えたかを判断する。超えた場合に、上記トラフィックの送信がセカンダリＭｉＡＮを介すると判断し、越えてない場合に、更に上記トラフィックが遅延に敏感なサービスであるかを判断し、ＹＥＳの場合に上記トラフィックの送信がプライマリＭｉＡＮを介すると判断し、ＮＯの場合に上記トラフィックの送信がセカンダリＭｉＡＮを介すると判断する。
【００６７】
上記二種類のポリシーの組み合わせを採用すると、セカンダリＭｉＡＮのＷＡＮ出口帯域幅資源を充分に利用でき、また、プライマリＭｉＡＮのＷＡＮ出口帯域幅が充分である場合に、遅延に敏感なサービスの転送遅延要求を優先的に保証することもできる。
【００６８】
以上のように挙げたポリシーは、本実施例において採用可能な一部のポリシーに過ぎず、本発明を限定するためのものではない。本発明は、その他のポリシーを採用して、上記トラフィックの送信がセカンダリＭｉＡＮを介するかを判断することができ、ここでは逐一説明しない。
【００６９】
各セカンダリＭｉＡＮとプライマリＭｉＡＮとの間に、近接インタフェースを介して接続が確立され、相互間の通信が実現される。該近接インタフェースは、有線方式又は無線方式で相互通信が実現できるあらゆるインタフェースであり、例えばブルートゥース、Ｚｉｇｂｅｅ、ＮＦＣ等の短距離通信技術、又は、８０２．１１ＷｉＦｉ無線通信、ＷｉＦｉ  ｄｉｒｅｃｔ、又は、イーサネット、ＲＪ４５等の有線接続等多種類の通信技術に基づいて実現可能である。即ち、近接インタフェースは、ＵＷＢインタフェース、ＷＬＡＮインタフェース、イーサネットインタフェース、ＲＪ４５インタフェースなどである。
【００７０】
本実施例では、近接インタフェースは、図１に示すような単独での物理実体インタフェースであってもよいし、例えばＷＬＡＮインタフェースと同一の物理実体インタフェースを共有する一つのロジックインタフェースのようなロジックインタフェースであってもよい（図２参照）。
【００７１】
特に、本実施例では、プライマリＭｉＡＮとセカンダリＭｉＡＮとは、ＷＬＡＮインタフェースを共有するロジック近接インタフェースを採用して相互間の通信を実現することができる。このとき、各ＭｉＡＮ（プライマリＭｉＡＮとプライマリＭｉＡＮとを含む）はいずれも同一のＷＬＡＮ周波数レンジにおいて稼働する。
【００７２】
各セカンダリＭｉＡＮはいずれも移動局（ＳＴＡ）モードにおいて稼働し、プライマリＭｉＡＮはアクセスポイント（ＡＰ）モードにおいて稼働する。即ち、各セカンダリＭｉＡＮは、いずれもプライマリＭｉＡＮの移動局とするように、ＷＬＡＮインタフェースを介してプライマリＭｉＡＮと関連付けられ、プライマリＭｉＡＮと接続されるようになる。このとき、各端末（ＷｉＤ）はいずれもプライマリＭｉＡＮと関連付けられる。セカンダリＭｉＡＮは、いかなる端末（ＷｉＤ）であっても関連付けられず、特別な端末として同じくプライマリＭｉＡＮと関連付けられる。
【００７３】
このような実現案では、プライマリＭｉＡＮとセカンダリＭｉＡＮとは、直接に設備に既存のＷＬＡＮインタフェースを利用して接続と通信を行い、その他の余分の通信インタフェース（例えば二つ目の無線ネットワークカード）又は通信媒体（例えばブルートゥース、ＵＷＢ（Ｕｌｔｒａ−Ｗｉｄｅｂａｎｄ）など）を必要としない。従って、直接に従来設備に対して機能のアップグレードをすれば実現でき、従来ＭｉＡＮ設備のハードウェアとファームウェアを変更しなくても実現でき、該案は、実現のためのコストが低く、実現されやすい。
【００７４】
以下、代表的なトラフィック送信及び受信フローを通して、本実施例を更に説明する。
【００７５】
該代表的なトラフィック送信フローは、図６に示すように、具体的に下記のステップ６０１〜６１０を有する。
【００７６】
ステップ６０１において、端末ＷｉＤ１がＷＬＡＮ  ＭＡＣレイヤを介してトラフィック（ＩＰパケット）をプライマリＭｉＡＮに送信し、プライマリＭｉＡＮが該トラフィックを受信したとする。
【００７７】
ステップ６０２において、プライマリＭｉＡＮは、まず自身のルーティングテーブルに該トラフィック専用のルーティングテーブルエントリが存在するかを判断し、存在する場合に、ステップ６０７に進み、存在しない場合に、ステップ６０３に進む。
【００７８】
ステップ６０３において、プライマリＭｉＡＮは、所定ポリシーのマッチングを行い、上記トラフィックの転送がセカンダリＭｉＡＮを介するかを判断する。具体的なポリシーは、上記のとおりである。セカンダリＭｉＡＮを介する場合に、ステップ６０４に進むが、逆の場合ステップ６０６に進む。
【００７９】
ステップ６０４〜６０５において、上記トラフィックを転送するための一つのセカンダリＭｉＡＮを選択する。具体的な選択方式は、上記の記載を参考する。そして、選択したセカンダリＭｉＡＮに基づいて、該トラフィック専用のルーティングテーブルエントリを作成し、該ルーティングテーブルエントリの出口となるインタフェースをプライマリＭｉＡＮの近接インタフェースとし、ネクストホップは選択したセカンダリＭｉＡＮとなり、それからステップ６０７に進む。
【００８０】
ステップ６０６において、このとき、プライマリＭｉＡＮのＷＡＮ出口リンクを介して該トラフィックを転送すると判断するため、ルーティングテーブルエントリを修正する必要がない。それからステップ６０７に進む。
【００８１】
ステップ６０７において、上記トラフィックが使用する送信リンク（例えばプライマリＭｉＡＮのＷＡＮ出口リンク又はセカンダリＭｉＡＮのＷＡＮ出口リンク）に基づいて、上記トラフィックを送信する送信リンク上のリンク状態パラメータ、例えば送信キュー長、パケット送信遅延、スループット率などの統計情報を更新する。
【００８２】
ステップ６０８において、ルーティングテーブルを検索し、最もマッチングした選択に基づき、上記トラフィックに最もマッチングしたルーティングテーブルエントリを選択する。該最もマッチングしたルーティングテーブルエントリに基づき、該トラフィックを対応する出口となるインタフェースに転送する。
【００８３】
例えば、プライマリＭｉＡＮのＷＡＮ出口リンクを使用して転送する場合に、上記トラフィックに最もマッチングした転送テーブルエントリがデフォルトのルーティングである可能性があり、出口となるインタフェースがプライマリＭｉＡＮのＷＡＮインタフェースであり、ネクストホップがプロバイダアクセスゲートウェイとなる。セカンダリＭｉＡＮのＷＡＮ出口リンクを使用して転送する場合に、上記トラフィックに最もマッチングした転送テーブルエントリが上記新しく作成されたルーティングテーブルエントリである可能性があり、出口となるインタフェースがプライマリＭｉＡＮの近接インタフェースであり、ネクストホップが該セカンダリＭｉＡＮとなる。
【００８４】
ステップ６０９〜６１０において、該トラフィックが対応する出口となるインタフェースに達すると、従来技術と同一の処理方式に従い、該トラフィックに対してＮＡＰＴ（Ｎｅｔｗｏｒｋ  Ａｄｄｒｅｓｓ  Ｐｏｒｔ  Ｔｒａｎｓｌａｔｉｏｎ）処理を行い、それから、該トラフィックを該出口となるインタフェースのＭＡＣレイヤを通して転送する。
【００８５】
例えば、出口となるインタフェースがプライマリＭｉＡＮのＷＡＮインタフェースである場合に、該トラフィックは、プライマリＭｉＡＮのＷＡＮ出口リンクを介してプロバイダアクセスゲートウェイ（セルラーネットワーク）に送信され、それから該ゲートウェイを介してインターネットに到達する。
【００８６】
出口となるインタフェースがプライマリＭｉＡＮの近接インタフェースである場合に、該トラフィックは、近接インタフェースを介してセカンダリＭｉＡＮに送信される。該セカンダリＭｉＡＮは、該トラフィックを受信すると、自身のデフォルトルーティングに基づいて、該トラフィックを自身のＷＡＮ出口に送信する。それから同じくＮＡＰＴ処理を経て該トラフィックのソースＩＰアドレスとソースポート番号を修正する。それから該トラフィックを自身のプロバイダアクセスゲートウェイに送信し、該プロバイダアクセスゲートウェイを経由してインターネットに到達する。
【００８７】
＜トラフィックの受信フロー＞
セカンダリＭｉＡＮは、インターネットからＩＰパケットを受信すると、ＮＡＰＴアドレス変換テーブルを検索することにより、該ＩＰパケットの宛先ＩＰアドレスと宛先ポート番号を修正し、それから近接インタフェースのＭＡＣレイヤを通して該ＩＰパケットをプライマリＭｉＡＮに転送する。プライマリＭｉＡＮは、該ＩＰパケットを受信すると、ローカルのＮＡＰＴアドレス変換テーブルを検索することにより、該ＩＰパケットの宛先ＩＰアドレスと宛先ポート番号を修正し、それからＷＬＡＮインタフェースのＭＡＣレイヤを通して該ＩＰパケットを対応する端末、例えばＷｉＤに送信する。
【００８８】
プライマリＭｉＡＮがインターネットから受信したＩＰパケットについて、その処理フローは従来技術と同一であり、ここでは重複な説明をしない。
【００８９】
本実施例による方法の応用環境に対する理論的な分析により、本実施例による方法を応用した場合に、ＷｉＤが取得可能な帯域幅とスループット率が大幅に向上し、そのゲインが集約ＭｉＡＮ数の増加につれて略線形的に増加することが分かる。これにより、本実施例による方法によれば、ＷｉＤが取得可能な帯域幅とスループット率を向上させることができ、それによりユーザエクスペリエンスを大きく改善できることが分かる。
【００９０】
しかも、本実施例による方法は、柔軟に実現でき、いかなる従来のセルラーネットワーク構造とネットワーク設備でも変更を加えられる必要がなく、ネットワーク設備を別途追加する必要がないとともに、従来のＭｉＡＮハードウェアとファームウェア構造を変更する必要がなく、ＷｉＤ設備を変更する必要もなく、従来のＭｉＡＮの機能についてソフトウェアのアップグレードを行なれば実現可能であり、簡単に実現でき、コストが低いといった利点を有する。
【００９１】
上記ＭｉＡＮ帯域幅集約方法に基づき、本実施例は、プライマリＭｉＡＮを更に提供している。該プライマリＭｉＡＮは、ＷＡＮ出口リンクを介してＷＡＮにアクセスし、少なくとも一つのセカンダリＭｉＡＮと接続し、上記プライマリＭｉＡＮは、近接インタフェースを介して各セカンダリＭｉＡＮとの間で通信接続が確立される。
【００９２】
図７に示すように、該プライマリＭｉＡＮは、ＷｉＤからＷＡＮに送信されるトラフィックを受信するための受信手段と、上記トラフィックを送信するための第１セカンダリＭｉＡＮを選択するための選択手段と、上記第１セカンダリＭｉＡＮが上記プライマリＭｉＡＮからの上記トラフィックを自身に対応するＷＡＮ出口リンクを介してＷＡＮに送信するように、上記トラフィックを上記第１セカンダリＭｉＡＮに送信するための第１転送手段とを含む。
【００９３】
上記選択手段は、さらに上記トラフィックの送信がセカンダリＭｉＡＮを介するかを所定のポリシーに基づいて判断し、判断結果がＹＥＳである場合に、上記トラフィックを送信するための上記第１セカンダリＭｉＡＮを選択することが好ましい。
【００９４】
該プライマリＭｉＡＮは、上記トラフィックの送信がセカンダリＭｉＡＮを介さないと上記選択手段により判断されると、上記プライマリＭｉＡＮのＷＡＮ出口リンクを介して上記トラフィックをＷＡＮに送信するための第３転送手段を更に含むことが好ましい。
【００９５】
上記近接インタフェースは、有線方式又は無線方式で相互通信が実現できるインタフェースである。特別な実施方式として、上記近接インタフェースがＷＬＡＮインタフェースを共有するロジックインタフェースである。上記各セカンダリＭｉＡＮは上記プライマリＭｉＡＮと同一のＷＬＡＮ周波数レンジにおいて稼働し、上記各セカンダリＭｉＡＮはいずれも移動局モードにおいて稼働し、且ついずれも上記ＷＬＡＮインタフェースを介して上記プライマリＭｉＡＮと関連付けられる。
【００９６】
上記プライマリＭｉＡＮは、各セカンダリＭｉＡＮのアドレス情報を維持して各セカンダリＭｉＡＮとのバインディング関係を確立し、上記アドレス情報に基づいて、近接インタフェースを介して各セカンダリＭｉＡＮと通信接続を確立するためのバインディング管理モジュールを更に含むことが好ましい。
【００９７】
同一のトラフィックに対して同一の転送経路を採用するために、該プライマリＭｉＡＮは、上記受信手段が上記トラフィックを受信した後、上記トラフィックに対するルーティングテーブルエントリがローカルに確立されているかを判断し、ＹＥＳの場合に、第２転送手段に上記トラフィックのルーティングテーブルエントリに従って上記トラフィックを転送させてからフローが終了し、ＮＯの場合に上記選択手段を動作させるための判断手段と、上記トラフィックのルーティングテーブルエントリに従って上記トラフィックを転送するための第２転送手段とを更に含むことが好ましい。
【００９８】
本実施例によるプライマリＭｉＡＮは、異なるポリシーに基づき、上記トラフィックの転送がセカンダリＭｉＡＮのＷＡＮ出口リンクを介するかを判断できる。このとき、上記選択手段は、上記プライマリＭｉＡＮのＷＡＮ出口リンクの現在のリンク状態パラメータであって、少なくとも送信キュー長、パケット送信遅延、スループット率、ＳＮＲ及び経路損失のうちの一つを含む上記パラメータを取得するためのパラメータ取得手段と、上記現在のリンク状態パラメータが所定の閾値を超えたかを判断し、ＹＥＳの場合に上記トラフィックの送信がセカンダリＭｉＡＮを介すると判断し、ＮＯの場合に上記トラフィックの送信がセカンダリＭｉＡＮを介さないと判断するための閾値判断手段とを含んでもよい。
【００９９】
又は、上記選択手段は、上記トラフィックが遅延に敏感なサービスであるかを判断するためのサービス判断手段を含み、ＹＥＳの場合に上記トラフィックの送信がセカンダリＭｉＡＮを介さないと判断し、ＮＯの場合に上記トラフィックの送信がセカンダリＭｉＡＮを介すると判断する。
【０１００】
又は、上記選択手段は、上記プライマリＭｉＡＮが集約システムにおけるＷＡＮ出口リンクの現在のリンク状態が最適なＭｉＡＮであるかを判断するための状態判断手段を含み、ＹＥＳの場合に上記トラフィックの送信がセカンダリＭｉＡＮを介さないと判断し、ＮＯの場合に上記トラフィックの送信がセカンダリＭｉＡＮを介すると判断する。
【０１０１】
本実施例のプライマリＭｉＡＮは、各セカンダリＭｉＡＮが周期的に報告した各ＷＡＮ出口リンクの現在のリンク状態パラメータであって、少なくとも送信キュー長、パケット送信遅延、スループット率、ＳＮＲ及び経路損失のうちの一つを含む上記リンク状態パラメータを収集するパラメータ収集手段を更に含んでもよく、上記状態判断手段は、さらに上記プライマリＭｉＡＮ及び各セカンダリＭｉＡＮの現在のリンク状態パラメータに基づき、上記プライマリＭｉＡＮが上記現在のリンク状態が最適なＭｉＡＮであるかを判断する。
【０１０２】
第１セカンダリＭｉＡＮを選択する方式として、上記選択手段は、セカンダリＭｉＡＮのＷＡＮ出口リンクの現在のリンク状態に基づき適当なセカンダリＭｉＡＮを選択してもよい。この時、上記選択手段は、各セカンダリＭｉＡＮの現在のリンク状態パラメータに基づき、上記一つ以上のセカンダリＭｉＡＮから現在のリンク状態が最適なセカンダリＭｉＡＮを選択して上記第１セカンダリＭｉＡＮとするための第１処理手段を更に含んでもよい。
【０１０３】
第１セカンダリＭｉＡＮを選択するほかの方式として、上記選択手段は、上記一つ以上のセカンダリＭｉＡＮから一つのセカンダリＭｉＡＮをランダムに選択して上記第１セカンダリＭｉＡＮとするための第２処理手段を含んでもよい。
【０１０４】
本実施例は、更にセカンダリＭｉＡＮを提供する。該セカンダリＭｉＡＮは、ＷＡＮ出口リンクを介してＷＡＮにアクセスし、プライマリＭｉＡＮと近接インタフェースを介して通信接続が確立される。該セカンダリＭｉＡＮは、上記プライマリＭｉＡＮがＷｉＤから受信した、上記セカンダリＭｉＡＮを介して転送するべき第１トラフィックであって、上記プライマリＭｉＡＮからの上記第１トラフィックを受信するための受信手段と、受信した上記第１トラフィックを自身に対応するＷＡＮ出口リンクを介してＷＡＮに送信するための転送手段と、プライマリＭｉＡＮのアドレス情報を維持して上記プライマリＭｉＡＮとのバインディング関係を確立し、上記アドレス情報に基づいて、上記プライマリＭｉＡＮと近接インタフェースを介して通信接続を確立するためのバインディング管理モジュールとを含む。
【０１０５】
上記セカンダリＭｉＡＮは、上記プライマリＭｉＡＮが各ＭｉＡＮの現在のリンク状態パラメータに基づきトラフィックを転送するためのＭｉＡＮを選択するように、上記プライマリＭｉＡＮに対して自身に対応するＷＡＮ出口リンクの現在のリンク状態パラメータを周期的に報告するためのパラメータ報告手段を更に含んでもよく、上記リンク状態パラメータは、少なくとも送信キュー長、パケット送信遅延、スループット率、ＳＮＲ及び経路損失のうちの一つを含む。
【０１０６】
このように、プライマリＭｉＡＮは、各セカンダリＭｉＡＮが周期的に報告した各ＷＡＮ出口リンクの現在のリンク状態パラメータを収集し、さらに上記プライマリＭｉＡＮ及び各セカンダリＭｉＡＮの現在のリンク状態パラメータに基づき、自身が上記現在のリンク状態が最適なＭｉＡＮであるかを判断して、自身又はセカンダリＭｉＡＮによりＷｉＤからのトラフィックを転送することを決定する。ただし、セカンダリＭｉＡＮにより転送することを決定する場合に、さらに各セカンダリＭｉＡＮの現在のリンク状態パラメータに基づき、現在のリンク状態が最適なセカンダリＭｉＡＮを選択してトラフィックを転送する。
【０１０７】
本実施例において、セカンダリＭｉＡＮの構造は、上記のプライマリＭｉＡＮの構造とはまったく同じであってもよい。具体的な応用時に、ＭｉＡＮの身分（プライマリＭｉＡＮかセカンダリＭｉＡＮ）に応じて対応する手段をアクティブ化させる。
【０１０８】
最後に、本実施例は、一つのプライマリＭｉＡＮと一つ以上のセカンダリＭｉＡＮとを備え、上記プライマリＭｉＡＮとセカンダリＭｉＡＮはいずれも各自に対応するＷＡＮ出口リンクを介してＷＡＮにアクセスし、上記プライマリＭｉＡＮは近接インタフェースを介して各セカンダリＭｉＡＮとの間で通信接続が確立されるようになっているＭｉＡＮ帯域幅の集約システムを更に提供する。該ＭｉＡＮ帯域幅の集約システムにおいて、上記プライマリＭｉＡＮは、ＷｉＤからＷＡＮに送信されるトラフィックを受信し、上記トラフィックの送信がセカンダリＭｉＡＮを介するかを所定のポリシーに基づいて判断し、判断結果がＹＥＳである場合に、上記トラフィックを送信するための第１セカンダリＭｉＡＮを選択し、それから、上記トラフィックを上記第１セカンダリＭｉＡＮに送信し、上記第１セカンダリＭｉＡＮは、上記プライマリＭｉＡＮからの上記トラフィックを受信し、自身に対応するＷＡＮ出口リンクを介して上記トラフィックをＷＡＮに送信する。
【０１０９】
具体的に、上記プライマリＭｉＡＮの構造は、図７及び上記記載を参考し、上記第１セカンダリＭｉＡＮの構造は、上記のセカンダリＭｉＡＮの構造を参考することができ、ここでは重複な説明を避ける。
【０１１０】
以上は、本発明の好ましい実施方式に過ぎない。なお、当該分野の当業者にとって、本発明の原理を背離しない前提で、若干の改進や修飾が考えられる。ただし、これらの改進や修飾も本発明の保護範囲にあることが理解されよう。
【図１】
2012253750.tif 000003
【図２】
2012253750.tif 000004
【図３】
2012253750.tif 000005
【図４】
2012253750.tif 000006
【図５】
2012253750.tif 000007
【図６】
2012253750.tif 000008
【図７】
2012253750.tif 000009